(57)【要約】【解決課題】本発明は、照明器具にシェードを簡単に着脱できると共に、シェードを強固に保持することができる照明器具のシェード保持具を提供する。【解決手段】シェードの保持具１００の上端部Ａでシェードの上端開口部１２を下から支えるように支持し、下端部Ｂでシェードの下端開口部１３を抑えるように支持し、伸縮性のあるシェードの形状を整えている。シェードの保持具１００の下端部の両端を引き寄せるようにするとバネ部材１７ａ、１７ｂ、１７ｃのところから折り畳まれて、保持具の下端部のＢ、Ｂ部分がシェードの下端開口部１３から開放されて、シェードは簡単に脱着することができる。【選択図】図２
2010199019.tif 000002
【特許請求の範囲】
【請求項１】
上端部と下端部に開口部を有する球形または円筒形のシェードと光源と架台よりなる照明器具のシェード保持具であって、前記シェードを保持する保持具が鋼線よりなり、該鋼線の上端部と下端部の少なくとも１ヶ所にバネ部材を装着してシェード保持具を屈曲可能としたことを特徴とする照明器具のシェードの保持具。
【請求項２】
鋼線よりなる照明器具のシェード保持具に装着するバネ部材が、前記鋼線の上端部と下端部の各１ヶ所にバネ部材を装着したことを特徴とする請求項１に記載の照明器具のシェードの保持具。
【請求項３】
鋼線よりなる照明器具のシェード保持具に装着するバネ部材が、前記鋼線の上端部に１ヶ所と下端部に２ヶ所にバネ部材を装着したことを特徴とする請求項１に記載の照明器具のシェードの保持具。
【請求項４】
上端部と下端部にバネ部材を着設した鋼線よりなる照明器具のシェード保持具の下端部に把持部を着設したことを特徴とする請求項１〜３のいずれかに記載の照明器具のシェードの保持具。
【請求項５】
請求項１〜４のいずれかに記載の鋼線よりなる照明器具のシェード保持具を着設したことを特徴とする照明器具。
【発明の詳細な説明】
【技術分野】
【０００１】
本発明は、提灯形のランプのシェードを保持するシェード保持具に関する。より詳しくは、照明器具に提灯形に伸縮可能に形成したシェードを照明器具に着設してシェードを保持するシェード保持具であって、シェードの脱着が容易で、強固に保持できるシェード保持具に関する。
【背景技術】
【０００２】
スタンド式の照明器具は、提灯形に形成した伸縮性のあるシェードを着設して、室内の装飾を兼ねた照明器具として、また、持ち運びが容易な照明器具として用いられている。このようなスタンド式の照明器具に提灯形に形成したシェードを着設して、前記シェードを照明器具に支持する方法については、種々の方法が報告されている。
【０００３】
特許文献１のシェードを支持する方法は、請求項１に「シェード本体を球形又は円筒形等で伸縮可能な提灯形に形成して、該シェード本体の上下両端に設けられる開口の上下の何れか一方又は上下双方の開口に近接して鳩目を対向させて取付、一方、前記対向する鳩目の双方に挿通し得る長さを有する支持杆の両端をそれぞれ折り曲げてフック部を形成すると共に、該支持杆の中央位置にソケットや電線コード等の灯具を挟持させる支持部を設け、該支持杆の両端をシェード本体の対向する鳩目に挿通してフック部で係止させるように構成したことを特徴とする照明具。」が開示されている。
【０００４】
特許文献２のシェードを支持する方法は、段落[０００６]「このように円筒形に形成されている骨組３の表面に対して全面にスリット２を設けた和紙１を貼り付けてランプシェードＳを形成する。このランプシェードＳは上端の中央に円形の開口５を設け、下端は全面開放している。そして下端寄りで和紙２に鳩目穴６、６を設けている。このように形成したランプシェードＳは保持具Ｈによって起立保持させるが、保持具Ｈは針金を屈曲して形成した支持枠７の下端に三脚よりなる脚体８をボルト・ナット９で連結して起立させるように形成され、支持枠７の中間高さ位置に水平に架設した取付杆１０にソケット１１を取り付け、ソケット１１に光源となる電球１２を螺締させる。ソケット１１にはコード１３が接続してある。」構成が開示されている。
【０００５】
特許文献３のシェードの支持する方法は、明細書の段落[００３３]「スタンドを対象とするため、内部構造は上記実施形態１と相違している。すなわち、本実施形態では、図５に示すように骨組みとしてのフレーム１２が具備されており、そのフレーム１２の上部に形成された肩部１４、１４に、シェード部１の内周面の上部が係止され、フレーム１２の下部に形成された脚部１５、１５に、シェード部１の内周面の下部が係止されている。」、及び[００３４]「また、フレーム１２の頂部１３は、シェード部１の上部開口部２より上側に突出して形成されている。さらに、フレーム１２の両端縁部１６、１６の下部にはリング体１７が形成され、そのリング体１７の孔部１８にソケット部２０が嵌入されている。」形状が開示されている。
【０００６】
特許文献４の段落[００２１]「ランプシェード（１）内には、白熱灯、蛍光灯等の任意の光源（５）が配置されると共に、シェード（１）を上下方向に展張状態に保持する逆Ｕ字状の支持枠（６）が配置されている。そして上記光源（５）及び支持枠（６）が共に下端の脚枠（７）によって支持されたものとなされている。」ランプシェードの支持枠が開示されている。
【０００７】
上記のように、照明器具のシェードの支持方法は種々開示されているが、シェードを強固に支持すると共に、取り外しの容易な照明器具シェードの支持方法はない。照明器具にシェードを簡単に着脱することができ、さらにシェードを強固に保持する支持方法の出現が望まれていた。
【先行技術文献】
【特許文献】
【０００８】
【特許文献１】特開平０８−０５０８０３号公報
【特許文献２】特開平０９−２６５８１８号公報
【特許文献３】特開２００３−２０８８０９号公報
【特許文献４】特開２００７−２８０６２９号公報
【発明の概要】
【発明が解決しようとする課題】
【０００９】
本発明は、照明器具にシェードを簡単に着脱することができ、さらに着設したシェードを強固に保持することができる照明器具のシェード保持具を提供するものである。
【課題を解決するための手段】
【００１０】
照明器具にシェードを簡単に着脱することができ、さらに着設したシェードを強固に保持することができる照明器具のシェード保持具を提供するために鋭意検討を重ねた。その結果、鋼線をシェードの上端開口部と下端開口部に接触する形状とし、その上部と下部にバネ部材を着設して、着脱する際に二つ折りにしてシェードの着脱が容易にできるようにした。
【００１１】
本発明の特徴は、上端部と下端部に開口部を有する球形または円筒形の伸縮可能なシェードと光源と架台よりなる照明器具のシェード保持具であって、前記シェードを保持する保持具が鋼線よりなり、該鋼線の上端部と下端部の少なくとも１ヶ所にバネ部材を装着してシェード保持具を屈曲可能としたことを特徴とする照明器具のシェードの保持具である。
【００１２】
本発明の照明器具のシェードの保持具で使用されるシェードは、竹やプラスチックを伸縮可能なように螺旋状に円形または円筒形の形状にして、その上に和紙、合成紙等を貼ったものに限らずプラスチックやガラスでできた円形または円筒形のものであってもよい。
【００１３】
光源は、架台上にソケットを着設して電球を取り付けることができるが、架台上に蝋燭立てを着設して蝋燭のようなものであってもよく、電球に限定されるものではない。
【００１４】
本発明の別の特徴は、鋼線よりなる照明器具のシェード保持具に装着するバネ部材が、前記鋼線の上端部と下端部の各１ヶ所にバネ部材を装着したことを特徴とする照明器具のシェードの保持具である。
【００１５】
本発明の別の特徴は、鋼線よりなる照明器具のシェード保持具に装着するバネ部材が、前記鋼線の上端部に１ヶ所と下端部に２ヶ所にバネ部材を装着したことを特徴とする照明器具のシェードの保持具である。
【００１６】
本発明の別の特徴は、上端部と下端部にバネ部材を着設した鋼線よりなる照明器具のシェード保持具の下端部に把持部を着設したことを特徴とする照明器具のシェードの保持具である。
【００１７】
照明器具のシェード保持具の下端部に把持部を着設することによって、指をシェードの奥にまで入れなくても照明器具のシェード保持具を二つ折りにしてシェードを着脱することができる。
【００１８】
本発明の別の特徴は、上記のいずれかに記載の鋼線よりなる照明器具のシェード保持具を着設したことを特徴とする照明器具である。
【００１９】
本発明のシェード保持具を着設することができる照明器具は、脚部を有する照明スタンド、台座を有する照明スタンド、あるいは円形状のシェード、または円筒状のシェードを装着した照明スタンド等が例示することができる。これらは様々な組合せがあり、このように組み合わされた照明スタンドに本発明のシェード保持具を着設することができる。
【発明の効果】
【００２０】
本発明の鋼線の上端部と下端部にバネ部材が着設されたシェード保持具を着設した照明器具は、シェード保持具の下端部の両端を持って引き寄せると、バネ部材の部分から二つ折りにして、シェードを簡単に着脱することができる。
【００２１】
本発明のシェード保持具は、脚部を有する照明スタンド、台座を有する照明スタンド、あるいは円形状のシェード、または円筒状のシェードを装着した照明スタンド等の様々な照明器具に着設することができる。
【図面の簡単な説明】
【００２２】
【図１】シェードの保持具にシェードを着設した照明器具の斜視図を示す。
【図２】シェードの保持具にシェードを着設した照明器具の断面図を示す。
【図３】シェードの保持具を着設した照明器具の斜視図を示す。
【図４】シェードの保持具と台座を着設した照明器具の斜視図を示す。
【図５】シェードの保持具に把持部を着設した照明器具の斜視図を示す。
【図６】吊り下げタイプの照明器具にシェードの保持具を着設した断面図を示す。
【発明を実施するための形態】
【００２３】
以下に本発明を実施するための形態について述べるが、本発明は以下の実施例に限定されるものではない。
【００２４】
図１は、本発明のシェードの保持具１００を照明器具１０に着設し、シェード１１を装着した斜視図を示している。本発明の照明器具１０に着設したシェードの保持具１００に装着するシェード１１は、竹やプラスチックを伸縮可能なように螺旋状に円形または円筒形の形状にして、その上に和紙、合成紙等を貼ったものに限らずプラスチックやガラスでできた円形または円筒形のシェードにも使用することができる。
【００２５】
本発明のシェードの保持具１００の大きさは、特に限定されるものではなく着設する照明器具１０の大きさに合わせて作成することがでる。また、シェードの保持具１００に着設する照明器具１０の光源１４は、架台１５上にソケットを着設して電球１４ａを取り付けたものであっても、架台１５上に蝋燭立てを着設して蝋燭のようなものであってもよく、光源１４は電球１４ａに限定されるものではない。
【００２６】
図２は、シェードの保持具１００にシェード１１を着設した照明器具１０の断面図を示している。シェードの保持具１００は鋼線１６を屈曲させて台形状に作成し、シェードの保持具１００の上端部は切断して、バネ部材１７ａで接続する。鋼線で台形状に作成したシェードの保持具１００の下端部は一部を切断して、間にバネ部材１７ｂを接続して、端末を架台１５に固定する。下端部のバネ部材１７は１ヶ所に限定されるものではなく、架台１５を挟んで両側１７ｂ、１７ｃに接続してもよい。
【００２７】
台形状に作成したシェードの保持具１００の鋼線１６の上端部、及び下端部に着設するバネ部材１７は、バネを伸ばしたり、縮めたりするものではなく、シェードの保持具１００の台形状に作成した鋼線１６を折り曲げるためのものであるので、折り曲げられて復元する力の強い部材であれば良く、バネに限定されるものではない。
【００２８】
図２に示すように、本発明のシェードの保持具１００はシェードの保持具の上端部Ａでシェードの上端開口部１２を下から支えるように支持し、下端部Ｂでシェードの下端開口部１３を抑えるように支持し、伸縮性のあるシェードの形状を整えている。シェードの保持具１００の下端部の両端を引き寄せるようにするとバネ部材１７ａ、１７ｂ、１７ｃのところから折り畳まれて、保持具の下端部のＢ、Ｂ部分がシェードの下端開口部１３から開放されて、シェードは簡単に脱着することができる。
【００２９】
このように、本発明の照明器具のシェード保持具はシェード保持具の下端部Ｂ、Ｂでシェードの下端開口部１３を抑えるように支持しているので、スタンド式の照明器具だけでなく、吊り下げ式の照明器具のシェードを保持するためにも使用することができる。
【００３０】
図３は、シェードの保持具１００と架台１５、脚部１８を着設した照明器具１０を例示している。架台１５の上に電球１４ａを差し込むソケット１４ｂと該ソケットに電線１９を接続して、架台１５の下に照明器具１０の脚部１８を着設している。架台１５の上のソケット１４ａに代えて蝋燭立を着設すれば、光源１４を蝋燭にすることもできる。
【００３１】
図３に示すシェードの保持具１００の下端部のバネ部材１７ｂは一方側にのみ着設している。この場合、シェードの保持具１００を折り畳むときは、保持具の下端部Ｂ、Ｂを引き寄せるとバネ部材１７ｂを着設した側が引き寄せられて折り畳むことができる。
【００３２】
図４は、シェードの保持具１００と脚部１８の下に台座２１を着設した照明器具１０の斜視図を示す。重いシェード１１等を着設する場合は、重量のある台座２１を脚部１８の下に着設することによって、安定な照明器具１０が得られる。
【００３３】
図５は、シェードの保持具１００の下端部に、折り曲げやすくするために把持部２０を着設した照明１０器具の斜視図を示す。シェードの保持具１００の把持部２０は、シェードの保持具１００の下端部から指を掛けて手前に引ける大きさであれば良く、図５に示すように下向き２０ａ、２０ａでもよく、横向き２０ｂ、２０ｂであってもよい。シェードの下から指を掛けてシェードの保持具の鋼線１６を二つ折りにできる大きさが望ましい。
【００３４】
図６は、吊り下げタイプの照明器具に本発明のシェード保持具１００を着設した断面図を示す。図６に示すように、シェード保持具の把持部２０をシェード保持具の上側に出す２０ｂ、２０ｂ方法がシェード１１を着脱する際に操作がし易く便利である。
【産業上の利用可能性】
【００３５】
本発明の照明器具のシェード保持具はスタンド式の照明器具のみならず、つり下げ式の照明器具のシェードを保持することも可能であり、シェードを着設する照明器具に幅広く利用することができる。
【符号の説明】
【００３６】
１００：シェードの保持具
１０：照明器具
１１：シェード
１２：上端開口部
１３：下端開口部
１４：光源
１５：架台
１６：鋼線
１７：バネ部材
１８：脚部
１９：電線
２０：把持部
２１：台座
【図１】
2010199019.tif 000003
【図２】
2010199019.tif 000004
【図３】
2010199019.tif 000005
【図４】
2010199019.tif 000006
【図５】
2010199019.tif 000007
【図６】
2010199019.tif 000008